(57)【要約】  カセットハウジングのフィルタ室の第１の硬質の表面と第２の硬質の表面との間に封止して配置されたフィルタ媒体を有する手術カセットは、カセットの空気濾過の改良を提供する。
2009540939.tif 000002
【特許請求の範囲】
【請求項１】
手術カセットであって、
第１の硬質の表面と第２の硬質の表面とを有するフィルタ室と、加圧空気を前記室に提供するためのポートとを有するカセットハウジングと、
前記第１の硬質の表面と前記第２の硬質の表面との間の前記室内に配置され、また前記第１の硬質の表面又は前記第２の硬質の表面の一方に対し熱的に封止されたフィルタ媒体と、
を備える手術カセット。
【請求項２】
前記フィルタ媒体が、疎水性のミクロ細菌フィルタ媒体である、請求項１に記載の手術カセット。
【請求項３】
前記第１の硬質の表面と前記第２の硬質の表面との間の前記フィルタ媒体を封止するために、前記第１の硬質の表面が前記フィルタ媒体とインタフェースするための隆起した封止面を有する、請求項１に記載の手術カセット。
【請求項４】
前記第１の硬質の表面と前記第２の硬質の表面との間の前記フィルタ媒体を封止するために、前記第２の硬質の表面が前記フィルタ媒体とインタフェースするための封止力ディレクタを有する、請求項３に記載の手術カセット。
【請求項５】
前記第１の硬質の表面と前記第２の硬質の表面との間の前記フィルタ媒体を封止するために、前記第２の硬質の表面が前記フィルタ媒体とインタフェースするための封止力ディレクタを有する、請求項１に記載の手術カセット。
【請求項６】
前記第１の硬質の表面と前記第２の硬質の表面との間の前記フィルタ媒体を封止するために、前記第２の硬質の表面が前記フィルタ媒体とインタフェースするための複数の封止力ディレクタを有する、請求項１に記載の手術カセット。
【請求項７】
前記フィルタ媒体が、前記第１の硬質の表面と前記第２の硬質の表面の両方に対し熱的に封止される、請求項１に記載の手術カセット。
【請求項８】
前記カセットハウジングが、前記フィルタ室に流体的に結合されかつ手術用のハンドピースに流体的に結合するための流体通路を有する、請求項１に記載の手術カセット。
【請求項９】
前記カセットハウジングが本体とカバーとを備え、また前記第１の硬質の表面が前記本体に形成され、前記第２の硬質の表面が前記カバーに形成される、請求項１に記載の手術カセット。
【請求項１０】
前記カセットハウジングがピンチプレートと本体とを備え、また前記第１の硬質の表面が前記ピンチプレートに形成され、前記第２の硬質の表面が前記本体に形成される、請求項１に記載の手術カセット。
【発明の詳細な説明】
【技術分野】
【０００１】
本発明は、一般に、顕微手術システム、より詳しくは、顕微手術システムに使用される手術カセットに関する。
【背景技術】
【０００２】
小さな切開部の手術中、特に眼科手術中、組織を切除し、取り除き、さもなければ操作するために、小さなプローブが手術部位に挿入される。これらの手術処置中に、流体が眼に典型的に注入され、注入流体及び組織が手術部位から吸引される。プローブ及び手術システム又はコンソールの両方に流体的に結合される手術カセットにより、眼に注入されまた手術部位から吸引された流体が統制される。
【０００３】
眼科手術中、様々な機能のために加圧空気を使用することが可能である。これらの機能のいくつかには、眼に注入される手術用の洗浄流体を加圧するために、無菌の空気が必要である。従来、このような加圧空気は、手術カセットが流体的に結合される手術システムによって提供される。加圧空気を殺菌するために、カセットが手術システム内に配置されるときに手術カセットに流体的に結合されるこのような手術システム内の空気圧ラインに、標準医療等級の空気フィルタが配置されてきた。このような標準空気フィルタは、可塑性のフィルタハウジング内に取り付けられた疎水性のミクロ細菌フィルタ媒体を含む。ハウジングに取り付けられるフィルタ媒体のコストは、フィルタ媒体それ自体のコストの約１０倍である。疎水性のミクロ細菌フィルタ媒体はまた、カセットの硬質のハウジングの部分と、カセットと手術システムの移動部分との間の境界面として作用するエラストマ媒体との間の手術カセット内に直接配置されてきた。しかし、このような設計は、カセットに対しフィルタ媒体を有効に封止するために、ガスケット又は他の構成要素を必要とする。
【発明の開示】
【発明が解決しようとする課題】
【０００４】
したがって、手術カセット内の空気フィルタの改良の必要性が存在し続けている。
【課題を解決するための手段】
【０００５】
本発明は、空気フィルタを改良した手術カセットである。一形態において、カセットは、第１の硬質の表面と第２の硬質の表面とを有するフィルタ室と、加圧空気を室に提供するためのポートとを有するカセットハウジングを含む。フィルタ媒体は、第１の硬質の表面と第２の硬質の表面との間の室内に配置される。フィルタ媒体は、第１の硬質の表面又は第２の硬質の表面に対し熱的に封止される。
【０００６】
本発明のより完全な理解のため、また本発明のさらなる目的及び利点について、添付図面と関連して行われる次の詳細な説明を参照する。
【発明を実施するための最良の形態】
【０００７】
本発明の好ましい実施形態及びそれらの利点は、図１〜図７を参照することによって最善に理解され、同様の数字は、様々な図面の同様かつ対応する部分に使用される。図に示したように、眼科手術カセット１０は、カバー１２と本体１４とを有するハウジング１１を含むことが好ましい。カバー１２及び本体１４の両方は、硬質のプラスチックから製造されることが好ましい。カバー１２は、眼科手術システム（図示せず）内へのカセット１０の配置を容易にするためのハンドル１６を含むことが好ましい。本体１４の後壁１８は、手術システムと動作可能に結合するためにある。本明細書では、カセット１０は眼科手術カセットとして記載されているが、代わりに、カセット１０は、流体管理を必要とする任意の手術又は医療システムと接続して利用してもよい。
【０００８】
図３に最もよく示されているように、後壁１８は、室２６、２８、３０にそれぞれ流体的に結合されるポート２０、２２、２４を含むことが好ましい。ポート２０、２２、２４は、手術システムに配置された流体ライン３２、３４、３６に流体的に結合するためにあり、流体ラインは室２６、２８、３０に加圧空気を提供する。室２６は、本体１４の後壁１８、側壁３８及び内壁４０によって形成されることが好ましい。室２８は、本体１４の後壁１８、内壁４０及び内壁４２によって形成されることが好ましい。室３０は、本体１４の後壁１８、内壁４２及び側壁４４によって形成されることが好ましい。フィルタ媒体４６は、壁部３８、４０、４２、４４の前面４８に沿って、また本体１４とカバー１２との間に配置される。フィルタ媒体４６は、前面４８に沿って本体１４に対し熱的に封止されることが好ましい。フィルタ媒体４６は、標準医療等級フィルタに典型的に使用される従来の疎水性のミクロ細菌フィルタであることが好ましい。好ましいフィルタ媒体は、Ｐａｌｌ  Ｃｏｒｐｏｒａｔｉｏｎから入手可能なＶＥＲＳＡＰＯＲ（登録商標）メンブレンフィルタ（０．８ミクロン）である。カセット１０は、カセット１０の他の部分及び／又はカセット１０に流体的に結合された手術用ハンドピース（図示せず）に加圧空気を提供するために、室２６、２８、３０の各々に流体的に結合された１つ以上の流体ライン、通路、及び／又はポート５０を含むことが好ましい。
【０００９】
図４、図６と図７に最もよく示されているように、カバー１２は、その後面６１に配置されたリップ部６０を有することが好ましい。リップ部６０により、好ましくは表面６２と６４に沿った剪断溶接を介して、カバー１２及び本体１４を共に流体的に封止することできる。図４、図５と図６に最善に示されているように、本体１４は、本体１４とカバー１２との間の媒体４６を封止するために、フィルタ媒体４６とインタフェースする隆起した封止面６６を有することが好ましい。カバー１２は、フィルタ室２８からフィルタ室２６を封止するためにかつフィルタ室２８からフィルタ室３０を封止するために、本体１４のフィルタ媒体４６及び内壁４０と４２とインタフェースするための隆起した封止面６８を有することが好ましい。カバー１２はまた、本体１４とカバー１２との間の媒体４６を封止するためにフィルタ媒体４６とインタフェースするための複数の封止力導部７０（封止力ディレクタ７０）を含むことが好ましい。
【００１０】
上記のことから、本発明が手術カセット内の空気濾過の改良を提供することが理解できる。本発明は、標準医療等級の空気フィルタに使用されるフィルタハウジングの必要性を排除し、手術カセット内の空気濾過のコストを実質的に減少させ、同時に多数のフィルタ室の製造を可能にし、またカセットに対しフィルタ媒体を封止するために、ガスケット又は他の構成要素を必要としない。
【００１１】
本発明は、本明細書に実施例によって示され、様々な修正が当業者によって行われることが可能である。例えば、フィルタ媒体４６がカセット１０のカバー１２と本体１４との間に封止される本発明について、上に説明しているが、フィルタ媒体４６は、ピンチプレート及び本体のようなカセット１０の任意の２つの硬質の構成要素の間に封止してもよい。他の例として、フィルタ媒体４６が本体１４に対してのみ熱的に封止される本発明について、上に説明しているが、媒体４６もカバー１２に対し熱的に封止してもよい。
【００１２】
本発明の操作及び構造は、前述の説明から明白であると考えられる。上に示した又は説明した装置及び方法は、好ましいと特徴付けられてきたが、次の特許請求の範囲に規定されるような本発明の精神と範囲から逸脱することなく、様々な変更及び修正を当該装置及び方法に行うことができる。
【図面の簡単な説明】
【００１３】
【図１】本発明の好ましい実施形態による手術カセットの前部斜視図である。
【図２】図１の手術カセットの側断面図である。
【図３】図１の手術カセットの頂部断面図である。
【図４】図３の円Ａに示した領域の拡大部分断面図である。
【図５】図３の円Ｂに示した領域の拡大部分断面図である。
【図６】図２の円Ｃに示した領域の拡大部分断面図である。
【図７】図１の手術カセットのカバーの後部拡大斜視図である。
【図１】
2009540939.tif 000003
【図２】
2009540939.tif 000004
【図３】
2009540939.tif 000005
【図４】
2009540939.tif 000006
【図５】
2009540939.tif 000007
【図６】
2009540939.tif 000008
【図７】
2009540939.tif 000009
【国際調査報告】
2009540939.tif 000010